(57)【特許請求の範囲】
【請求項１】
天井面に取付ける取付部を有するとともに点灯消灯用の引き操作部の付いたスイッチを有する器具本体と、この器具本体の周縁部に設けられ前記周縁部より外方へ突出した位置に紐通し穴を形成した引き紐ガイド用のレバーと、このレバーの前記紐通し穴の上側に配設されたローラと、前記スイッチの前記引き操作部に後端が接続され先端が前記ローラを介して垂下しかつ前記紐通し穴に挿通された引き紐とを備え、前記レバーは、前記紐通し穴が前記周縁部から突出した位置と、前記紐通し穴が前記周縁部から前記器具本体の中央側に後退した位置との間を移動可能となるように設けられ、前記レバーは前記ローラを設け、さらに前記ローラを覆いかつ前記引き紐をガイドするとともに上面が前記天井面に当接するカバーを設けた照明器具。
【発明の詳細な説明】
【技術分野】
【０００１】
この発明は、ランプの点灯消灯用のスイッチを有する照明器具に関するものである。
【背景技術】
【０００２】
従来のこの種の照明器具を、図１０および図１１に示す。５０は器具本体、５１は先端に紐通し穴５３を有する紐ガイド用のレバー、５２は引き紐である。器具本体５０は天井面に直付けされている。レバー５１は器具本体５０の周縁部に軸５５により回動自在に取付けられている。引き紐５２は後端が器具本体５０に設けられたスイッチ（図示せず）の引き操作部に接続され、先端のつまみ５４がレバー５１の紐通し穴５３を通して垂下している。
【０００３】
引き紐５２を引き操作することで、スイッチを操作し器具本体５０のランプを点灯消灯することができる。なお壁スイッチ等を使用して引き紐５２を使用しない場合には、器具本体５０を天井面に直付けする前にレバー５１を回動して、レバー５１が器具本体５０の周縁部から突出しないように後退させる。
【０００４】
しかしながら、レバー５１が金属製の場合、図１１に示すように紐通し穴５３は穴縁を折り返してあるが、製造ばらつきにより折り返しの端部にばりが発生することがあり、紐操作時に紐切れが発生する。
【０００５】
またレバーが樹脂製の場合、金型の合わせ部が穴部にでき、合わせ部で段差や突起が生じ、これが原因で引き紐がすり切れ、紐切れが発生する。
【０００６】
これに対して、例えば特許文献１では、レバー５１の紐通し穴５３の近傍に引き紐５２をガイドする膨出部を設けて、紐通し穴５３の縁部を引き紐５２が強く摺らないようにしている。
【特許文献１】特開平８−４５３３３号公報
【発明の開示】
【発明が解決しようとする課題】
【０００７】
しかし、紐通し穴５３の縁部を摺ることは従来例と同様であり、ばらつき等によるばり等によって引き紐５２がすり切れる可能性が依然として存在する。
【０００８】
また引き紐５２の引き操作時に軸５５を中心にレバー５１が回動することがあり、操作が安定しない。  
【０００９】
したがって、この発明の目的は、簡単な構成で引き紐切れを確実に防止することができる照明器具を提供することである。
【課題を解決するための手段】
【００１０】
この発明の照明器具は、器具本体が天井面に取付ける取付部を有するとともに点灯消灯用の引き操作部の付いたスイッチを有する。引き紐ガイド用のレバーは、器具本体の周縁部に設けられ前記周縁部より外方へ突出した位置に紐通し穴を形成している。ローラはレバーの前記紐通し穴の上側に配設されている。引き紐は、前記スイッチの前記引き操作部に後端が接続され先端が前記ローラを介して垂下しかつ前記紐通し穴に挿通されている。
【００１１】
上記構成において、前記レバーは、前記紐通し穴が前記周縁部から突出した位置と、前記紐通し穴が前記周縁部から前記器具本体の中央側に後退した位置との間を移動可能となるように設けられている。また、前記レバーは前記ローラを設け、さらに前記ローラを覆いかつ前記引き紐をガイドするとともに上面が前記天井面に当接するカバーを設けている。
【発明の効果】
【００１２】
この発明の照明器具によれば、引き紐はスイッチからローラを介して紐通し穴に挿通されるため、引き紐は紐通し穴の縁部を摺らないので、レバーに製造上のばらつきが生じても、簡単な構成で確実に紐切れを防止することができる。
【００１３】
カバーの上面が天井面に当接するため、引き紐を引いてもレバーの回動が防止され、安定したスイッチ操作が実現できる。  
【発明を実施するための最良の形態】
【００１４】
この発明の第１の実施の形態の照明器具を図１から図６により説明する。すなわち、この照明器具は天井直付け用であり、器具本体１の点灯消灯用のスイッチ２に引き紐３を接続し、引き紐３を引き紐ガイド用のレバー５のローラ４を介してレバー５の紐通し穴６に挿通し引き紐３のつまみ７を垂下している。
【００１５】
器具本体１は平板状であり、天井面８に取付けられる取付部９を中央に有し、その近くに点灯消灯用のスイッチ２を取付けている。取付部９は例えば木ねじ１０を挿通する取付孔であり、取付孔を通して木ねじ１０により器具本体１を天井面８に直付けしている。なお器具本体１にはスイッチ２のほか、安定器、ランプソケット等の点灯回路部品が取付けられている（図示省略）。ランプソケットには例えば環形のランプ１１が装着されている。またランプ１１を覆うようにランプカバー１２が器具本体１に取付けられている。
【００１６】
レバー５は、器具本体１の中央とスイッチ２を結ぶ線上の器具本体１の周縁部から一部が外方に突出可能に配置されるもので、器具本体１の周縁部の周壁１３の近傍に後端部が軸１４により回動自在に取付けられ、先端に紐通し穴６が形成されている。レバー５は金属製であり、紐通し穴６は穴縁部を折り返しにより形成している。レバー５を軸１４の回りに回動することにより、紐通し穴６が器具本体１の周縁部より外方へ突出した位置と、周縁部より器具本体１の中央側へ後退した位置との間を移動可能である。
【００１７】
引き紐３は、後端が器具本体１に形成された紐挿通孔を通してスイッチ２の引き操作部２ａに接続されている。引き紐３の中間部はレバー５の上面に沿いかつローラ４を介して垂下して紐通し穴６に挿通され、引き紐３の先端につまみ７が設けられている。
【００１８】
レバー５の先端部の上面には、紐通し穴６の近傍の後端部寄りに両側板のある略Ｕ字形の下カバー１７がねじ等の取付手段（図示せず）によって取付けられている。下カバー１７の紐通し穴６側の端部には紐通し穴６に整合する切欠き１８が形成されるとともに、両側板にそれぞれ軸穴１９を形成し、軸穴１９に軸となるピン２０を挿通している。
【００１９】
ローラ４は引き紐３をガイドするローラであり、引き紐３の引き方向に回転するように、ピン２０に回転自在に挿通されピン２０に保持されている。そして引き紐３のレバー５上の部分がローラ４に掛けられ、つまみ７のある先端側が紐通し穴６の縁部に当たらないように中央を垂下している。また上蓋２１が下カバー１７に被さり、これによりローラ４を覆うとともに、下カバー１７と上蓋２１との間に引き紐３をガイドしている。また上蓋２１は下カバー１７に被さった状態で上面２１ａが天井面８に例えば密接状態に当接する。なお下カバー１７と上蓋２１でカバー２５を構成する。
【００２０】
この照明器具の動作について説明する。つまみ７を引くと、引き紐３がローラ４を回しながら引き下げられ、これによってスイッチ２の引き操作部２ａを引き、スイッチ２を動作させ、ランプ１１を点灯または消灯する。この場合、引き紐３はローラ４によって紐通し穴６の中央に通され引き紐３が紐通し穴６の縁部を摺ることを防ぐことができ、たとえレバー５に製造上のばらつきが生じて、紐通し穴６の縁部にばりが生じても、引き紐３が切れることがなくなる。またつまみ７を引く際に斜めに引くとレバー５が軸１４を中心に回動する可能性があるが、上蓋２１の上面が天井面８に当接しているため、その摩擦によりレバー５の回動が防止されるので、引き紐３の操作時のレバー５の位置が安定する。このため、レバー５は軸１４に取付ける構成が簡単になり、多少ぐらついても上蓋２１で保持されることとなる。
【００２１】
照明器具の使用において、引き紐３およびスイッチ２を使用しないで壁スイッチなどを使用する場合には、引き紐３をスイッチ２から外し、またレバー５を軸１４を中心に回動して器具本体１の周縁部から後退した位置に配置しておくことができる。この場合、上蓋２１が天井面８に当接することによりレバー５が不用意に回動するのを防止することができる。また照明器具の梱包搬送において、レバー５を器具本体１の周縁部よりも内側に後退させておくことができるので便利である。
【００２２】
この発明の第２の実施の形態を図７により説明する。すなわち、第１の実施の形態において、ローラ４の中央部分が両端部から漸次細径となるように外形が鼓形に形成されている。これにより、引き紐３が回動にともなって軸方向に移動することがなく、引き紐３を常にローラ４の軸方向の中心に位置させることができる。
【００２３】
この発明の第３の実施の形態を図８により説明する。すなわち、第１の実施の形態において、ローラ４の両端にピン２０を突設している。また下カバー１７および上蓋２１のスイッチ側端部をそれぞれ細幅に狭めた細幅部２３、２４を形成し、引き紐３がローラ４の中心に位置するように引き紐３をガイドしている。
【００２４】
この発明の第４の実施の形態を図９により説明する。すなわち、第１の実施の形態において、樹脂製の角状の筒体のカバー２５により下カバーと上蓋とを一体に形成し、切欠き１８はレバー５への取付け部となる底部の端部に形成し、軸穴１９は両側部に切欠きにより形成している。またローラ４は両端にピン２０を突設し、ピン２０を軸穴１９の切欠き開口を通して軸穴１９に回転自在に軸着している。
【００２５】
なお、この発明において、レバーの移動可能手段は軸等の回動に限らずスライド移動する構成でもよい。またローラは引き紐の移動に伴って回転するものであればよい。
【図面の簡単な説明】
【００２６】
【図１】この発明の第１の実施の形態の一部分解要部斜視図である。
【図２】照明器具の概略断面図である。
【図３】レバーの突出状態の部分斜視図である。
【図４】照明器具の外観斜視図である。
【図５】図１の断面図である。
【図６】図１の分解斜視図である。
【図７】第２の実施の形態の要部分解斜視図である。
【図８】第３の実施の形態の要部分解斜視図である。
【図９】第４の実施の形態の要部分解斜視図である。
【図１０】従来例の照明器具の部分斜視図である。
【図１１】その断面図である。
【符号の説明】
【００２７】
１    器具本体
２    スイッチ
３    引き紐
４    ローラ
５    レバー
６    紐通し穴
７    つまみ
８    天井面
９    取付部
１１    ランプ
１３    周壁
１４    軸
１７    下カバー
１８    切欠き
１９    軸穴
２０    ピン
２１    上蓋
２１ａ  上面
２５    カバー
【図１】
0004508042.tif 000002
【図２】
0004508042.tif 000003
【図３】
0004508042.tif 000004
【図４】
0004508042.tif 000005
【図５】
0004508042.tif 000006
【図６】
0004508042.tif 000007
【図７】
0004508042.tif 000008
【図８】
0004508042.tif 000009
【図９】
0004508042.tif 000010
【図１０】
0004508042.tif 000011
【図１１】
0004508042.tif 000012